(57)【要約】【課題】家具ユニットを構成する支柱と、当該支柱を連結するフレームの強度を補完し、且つ、取付作業を容易に行うことができる家具ユニットのカバーを提供すること。【解決手段】左右一対の支柱１１と、これら支柱間１１間に配置された上部連結フレーム１２及び下部連結フレーム１３とを備えて家具ユニットＵが形成されている。上部連結フレーム１２にはトップカバーＣ１が固定されている一方、支柱１１の外側面１１Ｂ側にはサイドカバーＣ２が固定されている。これらの各カバーは、家具ユニットＵの内方領域、すなわち、支柱１１の内側面１１Ｃ側及び上部連結フレーム１２の下面側から挿入されるボルト４５，４７によって固定される。【選択図】          図５
2004261381.tif 000002
【特許請求の範囲】
【請求項１】
左右一対の支柱と、これら支柱間に配置された連結フレームとを備えてなる家具ユニットの外周側に装着される家具ユニットのカバーであって、
前記カバーは前記家具ユニットの内方領域から締結具を介して連結されることを特徴とする家具ユニットのカバー。
【請求項２】
左右一対の支柱と、これら支柱間に配置された連結フレームとを備えてなる一対の家具ユニットを対向配置させた状態で、これら家具ユニットを相互に連結する機能を備えた家具ユニットのカバーであって、
前記カバーは各家具ユニットの外周側を前後に跨いだ状態で位置する大きさを備えているとともに、各家具ユニットの内方領域から締結具を介して連結されることを特徴とする家具ユニットのカバー。
【請求項３】
前記カバーは上部連結フレーム上に位置するトップカバーを含み、当該トップカバーは、前記上部連結フレームの下面側から上方に貫通する締結具を介して上部連結フレームに引き寄せられた状態で固定されることを特徴とする請求項１又は２記載の家具ユニットのカバー。
【請求項４】
前記上部連結フレームの内部に配置される固定用治具を含み、この固定用治具は、前記トップカバーの下面側部分を上部連結フレームとの間に介在させる片部材を備え、前記締結具による締結力によって前記トップカバーの下面側部分が前記連結フレームと前記片部材との間に挟み付けられることを特徴とする請求項３記載の家具ユニットのカバー。
【請求項５】
前記カバーは、前記支柱の外側面側に位置するサイドカバーを含み、当該サイドカバーは、前記支柱の内方から外方に貫通する締結具を介して前記支柱に引き寄せられた状態で固定されることを特徴とする請求項１又は２記載の家具ユニットのカバー。
【請求項６】
前記サイドカバーは、内面側に上下方向に沿って延びる溝が形成されるとともに、当該溝の内面にねじ溝状部が形成され、前記支柱の内方から挿入されるボルトをねじ溝状部にねじ込むことで支柱に固定されることを特徴とする請求項５記載の家具ユニットのカバー。
【請求項７】
前記カバーは、家具ユニットの外周側を装飾する化粧面を形成することを特徴とする請求項２ないし６の何れかに記載の家具ユニットのカバー。
【請求項８】
前記カバーは、前後方向略中心に対して前後対称形状に設けられていることを特徴とする請求項２記載の家具ユニットのカバー。
【請求項９】
前記カバーは、前後方向略中心に対して前後対称形状をなすように二分割された二つのカバー形成部材の組み合わせにより構成され、当該カバー形成部材は、前記各家具ユニットを分離したとき及び相互に連結したときの何れにおいても利用可能に設けられていることを特徴とする請求項２記載の家具ユニットのカバー。
【発明の詳細な説明】
【０００１】
【発明の属する技術分野】
本発明は家具ユニットのカバーに係り、更に詳しくは、書架システムやデスクシステム等に用いられる家具ユニットの外周側に装着されるカバーに関する。
【０００２】
【従来の技術】
従来より、書架システムやデスクシステム等に適用できる支持体を構成する家具ユニットは、左右一対の支柱と、これら支柱の上下を相互に連結する連結フレームと、上下の連結フレーム間で支柱間に配置された複数の横架材と、当該横架材に支持されたパネルとを備えたものが知られている。この家具ユニットは、支柱の前面に形成されたスロット穴を利用してブラケットを係り合わせ、当該ブラケットに棚板を支持させて書架を構成したり、或いは、所定の高さ位置に天板を配置して上方に棚板を備えたデスクを構成する。
【０００３】
前述した家具ユニットにあっては、載置物の荷重に十分耐えられるようにする必要があり、従来では、支柱及び連結フレームの断面積や板厚などを大きくする構造としたり、横架材の使用本数を増加させる等の構造を採っている。
【０００４】
【発明が解決しようとする課題】
しかしながら、このような構造にあっては、家具ユニット全体の重量や部品点数が増加するという不都合を招来する。しかも、部品点数が増加すれば、組み立て作業も不可避的に繁雑なものとなる。
【０００５】
ところで、前述した家具ユニットにおいては、その外周側にカバーを設けて製品価値を高めることができる。このようなカバーは、支柱や、上部連結フレームを強度的に補完する作用も奏するものとなるが、これを支柱や上部連結フレームに取り付けるには、カバーの外側から支柱や上部連結フレームにボルト止めすることが一般的となり、特に、上部連結フレーム側のカバーの着脱に際しては、高い位置で行わなければならず、作業性が悪くなるという不都合を招来する。しかも、外側からのボルト止め作業では、当該ボルトが外面に表出することとなり、化粧効果を減退させる要因ともなる。
【０００６】
【発明の目的】
本発明は、このような不都合に着目して案出されたものであり、その目的は、家具ユニットを構成する支柱や当該支柱を連結するフレームの強度を補完することができるとともに、取付作業を容易に行うことができ、且つ、外観上にボルト等が表出することのない家具ユニットのカバーを提供することにある。
【０００７】
【課題を解決するための手段】
前記目的を達成するため、本発明は、左右一対の支柱と、これら支柱間に配置された連結フレームとを備えてなる家具ユニットの外周側に装着される家具ユニットのカバーであって、
前記カバーは前記家具ユニットの内方領域から締結具を介して連結される、という構成を採っている。このような構成によると、カバー自体が支柱や上部連結フレームの強度を補完するように作用することとなる。また、支柱の内側面や、上部連結フレームの下面側から締結具を用いることで、特に、上部連結フレームの場合においては、脚立などを用いることなく作業を行うことが可能となる。しかも、作業位置に無理がないようにすることで、ボルト等の締結具を用いた固定の際に、その締結力を十分に作用せしめることができる。
【０００８】
また、本発明は、左右一対の支柱と、これら支柱間に配置された連結フレームとを備えてなる一対の家具ユニットを対向配置させた状態で、これら家具ユニットを相互に連結する機能を備えた家具ユニットのカバーであって、
前記カバーは各家具ユニットの外周側を前後に跨いだ状態で位置する大きさを備えているとともに、各家具ユニットの内方領域から締結具を介して連結される、という構成を採ることができる。これによれば、カバーによって複数の家具ユニットを連結した一体化を図ることができるようになり、地震等の振動による転倒のおそれも効果的に回避することができる。
【０００９】
【発明の実施の形態】
本発明において、前記カバーは上部連結フレーム上に位置するトップカバーを含み、当該トップカバーは、前記上部連結フレームの下面側から上方に貫通する締結具を介して上部連結フレームに引き寄せられた状態で固定されるように設けることが好ましい。これにより、トップカバーと上部連結フレームとの一体化を強く図ることができ、上部連結フレームの強度補完を効果的なものとすることができる。
【００１０】
また、前記上部連結フレームの内部に配置される固定用治具を含み、この固定用治具は、前記トップカバーの下面側部分を上部連結フレームとの間に介在させる片部材を備え、前記締結具による締結力によって前記トップカバーの下面側部分が前記連結フレームと前記片部材との間に挟み付けられる、という構成を採ることができる。このような構成とすることで、トップカバーの外側、すなわち、トップ面に締結用の穴等が表出しない構造を採用でき、外観上の体裁を良好なものとする他、押出成形による製造を可能として量産性を図り、ひいてはカバーの製造コストを抑制することができる。
【００１１】
更に、前記カバーは、前記支柱の外側面側に位置するサイドカバーを含み、当該サイドカバーは、前記支柱の内方から外方に貫通する締結具を介して前記支柱に引き寄せられた状態で固定される、という構成を採ることができる。これにより、トップカバーを設けたのと同様の効果を付与することが可能となる。また、家具ユニットを用いた書架やデスクとして利用している場合において、支柱が壁面に非常に近接している状態であっても、カバーの着脱を行うことができる。
【００１２】
また、前記サイドカバーは、内面側に上下方向に沿って延びる溝が形成されるとともに、当該溝の内面にねじ溝状部が形成され、前記支柱の内方から挿入されるボルトをねじ溝状部にねじ込むことで支柱に固定される、という構成を採ると良い。このような構成により、サイドカバーの外面側にボルト挿入穴が表出することがないとともに、サイドカバーと支柱との相対取付位置が厳格でなくてもボルトをねじ込むことが可能となり、作業を簡易且つ迅速に行うことができる。
【００１３】
更に、前記カバーが家具ユニットの外周側を装飾する化粧面を形成するように設けることが好ましく、これにより、家具ユニットの外観上の体裁を保って製品価値を向上させることができる。
【００１４】
また、前記カバーは、前後方向略中心に対して前後対称形状に設けると良い。このように構成すれば、カバーの取り付け向きについての制限なく組み立て作業を行うことができる。
【００１５】
更に、複数の家具ユニットを連結する機能を備えたカバーは、前後方向略中心に対して前後対称形状をなすように二分割された二つのカバー形成部材の組み合わせにより構成され、当該カバー形成部材は、前記各家具ユニットを分離したとき及び相互に連結したときの何れにおいても利用可能に設けられる、という構成を採ることが好ましい。このような構成では、一つの家具ユニットにカバーを用いる場合と、複数の家具ユニットを相互に連結するようにカバーを用いる場合の何れにあっても前記カバー形成部材を共通部品として用いることができる。
【００１６】
【実施例】
以下、本発明の実施例を図面を参照しながら説明する。
【００１７】
［第１実施例］
図１には、第１実施例に係るデスクの概略斜視図が示され、図２には、その正面図が示されている。また、図３には、カバーを省略した図２の左側面図が示され、図４には家具ユニットの分解斜視図が示されている。これらの図において、デスク１０は、家具ユニットＵと、この家具ユニットの外周領域に設けられたトップカバーＣ１及びサイドカバーＣ２と、家具ユニットＵの上部に配置された上下二段の棚板Ｔと、この棚板Ｔの下方位置で所定の高さ位置に配置された天板Ｐとにより構成されている。
【００１８】
家具ユニットＵは、左右一対の支柱１１，１１と、これら支柱１１，１１の上端部間及び下端部よりやや上方位置間を相互に連結する上部連結フレーム１２及び下部連結フレーム１３と、これら連結フレーム１２，１３間において、支柱１１，１１間に配置された複数の横架材１４と、当該横架材１４に支持されたパネル１５とからなる。
【００１９】
前記支柱１１は、例えば、押出成形法により得られた略中空の角柱パイプ状をなし、その前後各面に、上下方向に沿って延びるスロット穴１１Ａが形成され、このスロット穴１１Ａを利用して前記天板Ｐの後部と棚板Ｔがそれぞれ支持されるようになっている。また、支柱１１の下端部には、床面に沿う水平脚２０，２０が設けられ、これにより、前記上下の各連結フレーム１２，１３で各支柱１１を連結したときに自立可能となる。ここで、各支柱１１の下端部領域の内部には補強部材２２，２２がそれぞれ配置されている。補強部材２２は、図４に示されるように、横断面が略コ字状となる形状に設けられているとともに、その上下方向長さは、前記下部連結フレーム１３を支柱１１間に配置したときに、当該連結フレーム１３を天板１４の手前に着座した者の膝領域に位置させることができる長さに設定されている。
【００２０】
前記補強部材２２の図４中上端部領域において、その内側面の上下二箇所にナット部材２４，２４が溶接により固定されている。そして、これらのナット部材２４の中心ねじ穴と同軸線上に位置する貫通穴２５，２５が補強部材２２の面内に形成されている。この一方、支柱１１の左右側面、すなわち、外側面１１Ｂ、内側面１１Ｃには、前記補強部材２２を支柱１１の下端から挿入して当該補強部材２２の下端位置と支柱１１の下端位置とを一致させたときに前記ナット部材２４及び貫通穴２５と同軸上に位置する部分に連結用穴２６，２６が形成されている。また、これらの連結用穴２６の上下各隣接位置と、支柱１１の下端近傍位置には溶接用穴２７が支柱１１の上下方向三箇所に形成されている。従って、補強部材２２を支柱１１の下端から挿入し、前記溶接用穴２７を通じて補強部材２２，２２を支柱１１の各内側面に対して三箇所で溶接固定することができる。
【００２１】
前記上部連結フレーム１２は、図４ないし図６に示されるように、上部を開放形状とした略Ｃチャンネル状の内部空間を備えたフレーム本体２８と、このフレーム本体２８の長手方向両端に設けられたフック部材２９とにより構成されている。フレーム本体２８は、平面視略長方形状をなす底面３０と、この底面３０の短寸幅方向両端から上方に向けられた前後一対の起立面３１，３１と、これら起立面３１，３１の上端から内方に屈曲された前後一対の頂面３２，３２とからなり、底面３０の長手方向両側には、長孔３０Ａ，３０Ａが形成されている。この一方、フック部材２９は、前記底面３０の長手方向両端部にそれぞれ位置するベース３３と、このベース３３に連なって本体フレーム２８の長手方向端部を閉塞するように起立するとともに、略中央部に穴３４Ａが形成された端面形成部３４と、この端面形成部３４の上端中央部から外側下向きに折り曲げられたフック面部３６とにより構成されている。フック部材２９は、フレーム本体２８の長手方向両端に位置させた状態で、溶接固定される。
【００２２】
前記フレーム本体２８内において、長孔３０Ａ，３０Ａが形成されている位置には、前記トップカバーＣ１を固定するための固定用治具３８，３８がそれぞれ配置される。これらの固定用治具３８は、本体フレーム２８内に収まる前後幅となるＵ字状部材３９と、このＵ字状部材３９の上端から外側に向けられて前記フレーム本体２８の頂面３２との間にトップカバーＣ１の下面側部分を挟み込む片部材４０とからなる。ここで、Ｕ字状部材３９の下端平面３９Ａの面内には、前記本体フレーム２８の底面３０に形成された長孔３０Ａの領域内に収まるナット４１が固定されている。
【００２３】
また、フレーム本体２８の下部すなわち前記底面３０の下面側には、隠蔽部材４２が取り付けられるようになっている。この隠蔽部材４２は、底面３０の下面に沿って長手方向に延びる取付面部４４と、この取付面部４４の短寸幅方向前端から垂下する隠蔽部として作用する前垂下面部４５と、取付面部４４の後端から垂下して前垂下面部４５と略平行となる後垂下面部４６とからなる。取付面部４４の長手方向両端側には、前記長孔３０Ａの領域内に位置する穴４４Ａ，４４Ａが形成されており、各穴４４Ａに対して下方から締結具を構成するボルト４７を挿入して前記固定用治具３８のナット４１に締め付けることで、フレーム本体３０に対して固定用治具３８及び隠蔽部材４２が一体化される。
【００２４】
前記下部連結フレーム１３は、図４に示されるように、左右方向に延びる中空状をなす角柱パイプ５０と、この角柱パイプ５０の長手方向両端に溶接固定される連結片５１とにより構成されている。連結片５１は、角柱パイプ５０の長手方向に沿う端部を閉塞するとともに、当該角柱パイプ５０の上下方向幅よりも大きな長さに設けられて支柱１１の内側面に面接触する接触面部５２と、この接触面部５２の前後各縁に連なって角柱パイプ５０の前後各面側に折り曲げられた補強屈曲面部５３とにより構成されている。接触面部５２の上下各中央部には、ボルト挿入穴５２Ａ，５２Ａがそれぞれ形成されており、これらのボルト挿入穴５２Ａと支柱１１の連結用穴２６とを一致させてボルト５４をねじ込むことにより、当該ボルト５４が支柱１１内に位置するナット部材２４に締め付けでき、これにより、下部連結フレーム１３を所定の高さ位置で支柱１１間に配置することができる。
【００２５】
横架材１４は、図３に示されるように、上下方向における四箇所で支柱１１，１１間に配置されている。この横架材１１は、当該横架材１１を後方側から見た図７に示されるように、支柱１１間に延びるとともに縦断面形状が略コ字状をなす本体６０と、この本体６０の長手方向両端側に設けられた上向きの前部フック６１及び下向きの後部フック６２とからなる。本体６０は、略鉛直面内に位置する前面部６４と、この前面部６４の上端及び下端から後方に向けられた上平面部６５及び下平面部６６と、これら上平面部６５及び下平面部６６の後端から垂下した上部後面部６８と下部後面部６９とにより構成されている。上部後面部６８及び下部後面部６９は、その長手方向長さが上平面部６５及び下平面部６６の長手方向長さよりも長く設けられており、それらの端部に前記後部フック６２，６２が前向きに設けられ、これにより、各後部フック６２，６２が、支柱１１の後面に形成されたスロット穴１１Ａに着脱自在となっている。また、前記本体６０において、前面部６４の長手方向両端側に前部フック６１が前向きに設けられ、このフック６１を利用してパネル１５を引っ掛けるようにして当該パネル１５を支持するようになっている。
【００２６】
前記パネル１５は、図８及び図９に示されるように、略鉛直面内に位置する前面７１と、この前面７１の外周縁から後方に向けられた上下及び左右の周壁面７２と、これら周壁面７２の後端縁から内側に向けられた折り曲げ面７３とにより構成されている。周壁面７２の前後幅は、前記横架材１４にパネルを支持させたときに、前面７１が支柱１１の前面よりも後方に退避した位置となる寸法に設定されている。また、パネル１５の左右両側に位置する折り曲げ面７３には、その上下二箇所にスロット７５が形成されている。従って、パネル１５を上下動させることで、スロット７５に横架材１４の前部フック６１を受容して当該フック６１に係り合わせることができ、これにより、パネル１５を横架材１４に支持させることができる。本実施例では、図３に示されるように、上部二つの横架材１４，１４に上部パネル１５が支持され、これより下方の二つの横架材１４，１４に上下方向寸法が相対的に大きく設けられた下部パネル１５が支持される。これらパネル１５を横架材１４に支持させた状態では、図９に示されるように、前述した隠蔽部材４２における前垂下面部４５の下端位置よりも上部のパネル１５の上端が上方に位置するようになっており、従って、正面からデスク１０を見たときに、上部連結フレーム１２とパネル１５の上端との間に隙間を表出させることがない。
【００２７】
前記トップカバーＣ１はスチール等の金属材料を用いた押出成形による一体成形品として形成されている。このトップカバーＣ１は、図４及び図５に示されるように、上部連結フレーム１２と略同一の長さを有するとともに、当該上部連結フレーム１２の前後幅よりも大きな幅を備えた細長い長方形状をなすトップ面８０と、このトップ面８０の前後各端部にそれぞれ連なる下向き湾曲面８１，８１と、これら下向き湾曲面８１，８１の下端から上向きに設けられてトップ面８０の下面側に連なって略鉛直面内に位置する連結面８３，８３と、これら連結面８３，８３よりも内側位置において、リブ状のスペーサ部８４，８４を介して設けられた水平面８５，８５とを備え、前後方向略中心に対して前後対称形状に設けられている。ここで、前記湾曲面８１，連結面８３，スペーサ部８４及び水平面８５は、図５中紙面直交方向に沿って延び、前記トップ面８０と略同様の長さに設けられている。このトップカバーＣ１は、前記トップ面８０と下面側の水平面８５との間の溝状をなす隙間に固定用治具３８の片部材４０を受容できるようになっている。従って、この隙間内に、固定用治具３８の片部材４０が位置するようにトップカバーＣ１の長手方向端部から固定用治具３８を差し込み、当該固定用治具３８を上部連結フレーム１２内に落とし込んだ状態で、固定用治具３８のナット４１に対して家具ユニットＵの内方、すなわち、上部連結フレーム１２の下面側からボルト４７の締め付けを行うことにより、片部材４０と上部連結フレーム１２の頂面３２との間に水平面８５を挟み込んでトップカバーＣを固定することができ、前記ボルト４７の締め付けによって、トップカバーＣ１を上部連結フレーム１２に強く引きつけて相互の連結が行えるようになっている。
【００２８】
前記サイドカバーＣ２はスチール等の金属材料を用いた押出成形による一体成形品として形成されている。このサイドカバーＣ２は、図２、図１０ないし図１２に示されるように、支柱１１と略同一の長さを有するとともに、当該支柱１１の前後幅よりも大きな幅を備えて構成されている。これを更に詳述すると、サイドカバーＣ２は、横断面形状が略円弧状に設けられるとともに支柱１１に沿って延びるサイド面部９０と、このサイド面部９０の前後（図１０中上下）各端部から支柱１１の前面及び後面に向かって延びる前後一対の内側面部９１，９１とからなる。サイド面部９０の内面側には、支柱１１の外側面１１Ｂに向かう前後一対の起立壁９２，９２によって形成される溝９３がサイド面部９０の長手方向（図１０中紙面直交方向）に沿って形成されており、これらの起立壁９２，９２の相対面には、支柱１１の上部空間内で、外側面１１Ｂを貫通するボルト９４と、支柱１１の内側面１１Ｃから外側面１１Ｂに向かって支柱１１を貫通する締結具を構成するボルト９５（図１１参照）のねじ込みを許容するねじ溝状部としてのギザ歯９２Ａが形成されている。なお、起立壁９２，９２の先端には、当該起立壁９２と直交する外側に向けられた片状の突き当て部９６，９６が形成され、この突き当て部９６，９６が支柱１１の外側面１１Ｂに突き当てられた状態で、前記内側面部９１，９１が支柱１１のスロット１１Ａ，１１Ａを完全に閉塞することを防止し、後述するブラケットの着脱を許容するようになっている。
【００２９】
前記棚板Ｔは、支柱１１のスロット穴１１Ａに引っ掛けて支持された各一対をなす公知のブラケット１００，１００を介してそれぞれ支持されている。各棚板Ｔは、平面視略方形状をなし、それらの後端左右両側が支柱１１の前面に略突き当たる状態でブラケット１００，１００にそれぞれ支持されている。また、天板Ｐは平面視略方形状をなし、前部下面側において、左右二箇所位置が脚柱１０１，１０１によって支持されている一方、後部下面側の左右二箇所がブラケット１０３，１０３によって支持されている。この天板Ｐは、その後端左右両側が支柱１１の前面に略突き当たる状態でブラケット１０３，１０３上に支持されている。なお、ブラケット１０３も、後端部に設けられた図示しないフックを支柱１１のスロット穴１１Ａに引っ掛けて当該支柱１１に支持される構造となっている。
【００３０】
次に、本実施例におけるデスク１０の組み立て方法について説明する。
【００３１】
まず、家具ユニットＵの支柱１１を形成する際には、当該支柱１１の下端に水平脚２０を固定する前に、当該支柱１１の下端から補強部材２２を挿入する。そして、補強部材２２の下端と支柱１１の下端とが略一致する状態で、溶接用穴２７を利用してこれらを相互に溶接する。これにより、ナット部材２４，２４は、支柱１１の下端より内方すなわち上方に所定距離離れて位置し、ナット部材２４の中心ねじ穴が支柱１１の連結用穴２６にそれぞれ一致し、内外に開通した状態となる。そして、各支柱１１の下端に水平脚２０を固定する。
【００３２】
このようにして支柱１１を完成させた後、各支柱１１，１１の内側面１１Ｃを対向配置させておき、当該支柱１１を上部連結フレーム１２及び下部連結フレーム１３で相互に連結する。上部連結フレーム１２を支柱１１間に配置するに先立ち、フレーム本体２８の長手方向両端部にフック部材２８，２８を予め溶接固定しておく。そして、これらのフック部材２８，２８を支柱１１，１１の上端部に引っ掛け、フック部材２８の端部形成部３４に形成された穴３４Ａにボルト１０５を挿入し、当該ボルト１０５を支柱１１の上端部内面側に配置されたナット部材１８にねじ込む。これにより、支柱１１の上端部間が上部連結フレーム１２によって連結されることとなる。
【００３３】
この一方、下部連結フレーム１３を支柱１１間に連結する場合には、角柱パイプ５０の長手方向両端に予め溶接固定された連結片５１を支柱１１の内側面１１Ｃに当てがい、連結片５１のボルト挿入穴５２Ａを前記連結用穴２６に一致させてボルト５４をねじ込めば当該ボルト５４を支柱１１内に位置するナット部材２４に締結させることができる。
【００３４】
次いで、上部連結フレーム１２の上部にトップカバーＣ１と、支柱１１の外側面１１Ｂ側にサイドカバーＣ２をそれぞれ装着する。トップカバーＣ１の装着に際しては、当該トップカバーＣ１の下面側に設けられた水平面８５に固定用治具３８を引っ掛けておき、トップカバーＣ１を固定用治具３８と共に上方から降ろしてフレーム本体２８内に受容させる。そして、フレーム本体２８の下面側に、隠蔽部材４２を位置させておき、ボルト４７を下方から挿入して前記固定用治具３８のナット４１に締め付け、これにより、トップカバーＣ１の上部連結フレーム１２への固定が完了する。ここで、ボルト４７の締め付け量を増加させるに従い、トップカバーＣ１は上部連結フレーム１２に強く引きつけられるようになり、それらの一体化程度を強固なものとして上部連結フレーム１２の強度を効果的に補完するように作用する。
【００３５】
一方、サイドカバーＣ２は、その上端部を支柱１１の上部空間内でボルト９４をギザ歯９２Ａにねじ込み、他の部位は、支柱１１の内側面１１Ｃから外側面１１Ｂを貫通するようにボルト９５を挿入し、前記ギザ歯９２Ａにねじ込めばよい。この際、ギザ歯９２Ａは、サイドカバーＣ２の長手方向に沿って略全域に設けられているため、ボルト９５のねじ込み位置に制限がなく、従って、サイドカバーＣ２と支柱１１との相対位置や、部品精度のバラツキがあっても支障なく連結を行うことができる。
【００３６】
パネル１８を装着する際には、横架材１４を支柱１１の後面側に設けられたスロット穴１１Ａに後部フック６２を引っ掛ければよい。この作業は、後方に回って行うことができるが、前方位置にて行うことができる。すなわち、横架材１４を水平姿勢から傾けた状態として全体を支柱１１，１１の後方に位置させればよい。そして、横架材１４を水平姿勢に戻し、手前側に引くようにして後部フック６２をスロット穴１１Ａに差し込み、若干降下させることで横架材１４を支柱１１，１１間に掛け渡すことができる。各横架材１４を所定間隔を隔てた位置に配置した後、下段側のパネル１５を最下段の横架材１４と、これの上方に位置する横架材１４を利用してそれらの前部フック６４位置に合わせ、パネル１５を略鉛直姿勢として上方から下方に降ろすようにして引っ掛ける。そして、上段側のパネル１５を上二本の横架材１４，１４に同様の作業にて引っ掛ける。この際、図９に示されるように、上段側のパネル１５は、隠蔽部材４２の取付面部４４に接近した位置まで持ち上げられ、前部フック６１がスロット７５に入り込んで下降したときに図９中二点鎖線位置から実線位置に移動することとなる。従って、その移動代に対応した隙間が前方から見たときにパネル１５の上方に生じることになるが、本実施例では、前垂下面部４５が隠蔽部として作用するため、前記隙間は前方からは見えないこととなる。
【００３７】
このようにしてパネル１５の装着を完了した後に、支柱１１の所定高さ位置にブラケット１００，１０３を装着した後、棚板Ｔ及び天板Ｐをパネル１５の前方に組み立てることで家具ユニットＵを用いたデスク１０を完成させることができる。
【００３８】
従って、このような実施例によれば、トップカバーＣ１及びサイドカバーＣ２が金属材料を用いた押出成形品によって構成されているとともに、これら各カバーＣ１，Ｃ２を上部連結フレーム１２、支柱１１にそれぞれ固定する構成としたから、この種の家具ユニットＵにおいて、強度を高める場合に最も有効な部位をトップカバーＣ１及びサイドカバーＣ２によって補強することができるという効果を得る。
【００３９】
［第２実施例］
次に、本発明の第２実施例について、図１３ないし図１８を参照しながら説明する。この第２実施例は、前記第１実施例の家具ユニットＵを用いたデスク１０を一対設け、これらを後部対向配置とした状態で、トップカバーＣ１及びＣ２を外周側に固定したものである。従って、以下の説明において、第１実施例と同一若しくは同等部分については、必要に応じて同一符号を用いるものとし、説明を省略若しくは簡略にする。
【００４０】
図１３ないし図１５に示されるように、デスク１０は、家具ユニットＵの後部間に一定の隙間を形成するように相互に対向して、つまり、背中合わせした相対位置で前後一対の状態に配置され、前後の家具ユニットＵの外周側を前後方向に跨いだ状態でトップカバーＣ１及びサイドカバーＣ２がそれぞれ固定されている。
【００４１】
トップカバーＣ１は、図１６に示されるように、第１実施例で示したトップ面８０が、前後方向、すなわち幅方向に長く形成された大きさを備え、前後方向略中心Ｃに対して対称形状を備えた形状に設けられている。このトップカバーＣ１は、トップ面８０の下面側において、固定用治具３８の装着部位となる各一対の水平面８５，８５が前後両側領域に設けられている。その他の構成は、実質的に第１実施例と略同一である。
【００４２】
前記サイドカバーＣ２は、図１７及び図１８に示されるように、前後幅が第１実施例におけるサイドカバーＣ２の幅よりも大きく設けられ、前後方向略中心Ｃに対して前後対称形状に設けられている。サイドカバーＣ２のサイド面９０の内側面の前後両側領域において、各一対の起立壁９２，９２が設けられて前後二箇所に溝９３，９３がそれぞれ形成されている。
【００４３】
前記トップカバーＣ１及びサイドカバーＣ２の固定作業は、第１実施例と同様に前後の家具ユニットＵに対してそれぞれ行えばよい。
【００４４】
従って、このような第２実施例によれば、既述の効果を得ることができる他、前後対向配置したデスク１０を構成する各家具ユニットＵが、単一の押出成形品からなるトップカバーＣ１及びサイドカバーＣ２によって同時にカバーされるようになり、且つ、各デスク１０を一体的に連結することができる、という効果を付加することができる。
【００４５】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量、その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状等などの限定の一部若しくは全部の限定を外した部材の名称での記載は、本発明に含まれるものである。
【００４６】
例えば、前記実施例では、トップカバーＣ１及びサイドカバーＣ２が、それらの前後方向略中心Ｃに対して対称形状となる一体成形品を用いた場合を図示、説明したが、本発明は、これに限定されるものではない。例えば、図１９に示されるように、トップ面８０の前後方向略中間部にて前後分割型としたカバー形成部材Ｃ１ａ，Ｃ１ａを設けるとともに、相互に重ね合わせ可能な接合面１１０，１１０を内方端から垂下させ、これら接合面１１０，１１０をボルト１１２，ナット１１３により連結できるようにしてもよい。これによれば、各カバー形成部材Ｃ１ａを第１実施例で示した家具ユニットＵのトップカバーとして利用することができる一方、第２実施例のトップカバーとしても利用することができる。なお、第１実施例のように単独のデスク１０における家具ユニットＵにカバー形成体Ｃ１ａをトップカバーとして利用する場合には、前記接合面１１０が後部に位置するように設ければよい。
【００４７】
また、サイドカバーＣ２も同様に、サイド面９０の前後方向略中間部にて前後分割型としたカバー形成部材Ｃ２ａ，Ｃ２ａとし、相互に重ね合わせ可能な接合面１２０，１２０をサイド面９０の内面側に設け、これら接合面１２０，１２０をボルト１２１，ナット１２２により連結できるようにしてもよい。これによれば、各カバー形成部材Ｃ２ａを第１実施例で示した家具ユニットＵのサイドカバーとして利用することができる一方、第２実施例のサイドカバーとしても利用することができる。なお、第１実施例のように単独の家具ユニットＵにカバー形成体Ｃ２ａをサイドカバーとして利用する場合には、前記接合面１２０が後部に位置するように設ければよい。
【００４８】
【発明の効果】
以上説明したように、本発明によれば、カバーを、支柱や上部連結フレームの強度を補完する部材として利用することが可能となる。また、カバーは支柱の内側面や、上部連結フレームの下面側から締結具を用いて固定されるため、周辺環境に影響されることなく無理のない位置で固定作業を行うことができ、ボルト等の締結具を用いた固定の際に、締結力を十分に作用せしめることができる。
【００４９】
また、一対の家具ユニットを対向配置させた状態で、これら家具ユニットを相互に連結する機能を備えた家具ユニットのカバーとした場合には、カバーによって複数の家具ユニットを連結した一体化を図ることができ、且つ、振動等に対する安定性も確保することができる。
【００５０】
更に、トップカバーやサイドカバーは締結具を介して上部連結フレームや支柱に引き寄せられる状態で固定されるため、各カバーと上部連結フレーム及び支柱との一体化の程度を強く図ることができ、これらの強度を効果的に補完し、家具ユニット全体としての強度を高めることができる。
【００５１】
また、前記上部連結フレームの内部に配置される固定用治具を介してトップカバーを固定する構造とした場合には、トップカバーの外側にボルト用の穴等を表出させてしまうような不都合も解消することができる。
【００５２】
また、前記サイドカバーの内面側に、ねじ溝状部を備えた溝を設けた構成では、サイドカバーの外面側にボルト挿入穴が表出することがないとともに、サイドカバーと支柱との相対取付位置が厳格でなくてもボルトをねじ込むことが可能となり、作業を簡易且つ迅速に行うことができる。
【００５３】
また、前記トップカバー及びサイドカバーを前後対称形状に設けた場合には、これらの取付向きについての制限をなくすことができ、更に、トップカバー及びサイドカバーを、前後対称形状をなすように二分割した二つのカバー形成部材の組み合わせにより構成した構成では、部材共通化を通じて部品点数を削減でき、製造コストを抑制することが可能となる。
【図面の簡単な説明】
【図１】本発明が適用された第１実施例に係るデスクの概略斜視図。
【図２】前記デスクの正面図。
【図３】サイドカバーを外した図１の左側面図。
【図４】家具ユニットの概略分解斜視図。
【図５】図１のＡ−Ａ線に沿う矢視拡大断面図。
【図６】前記家具ユニットの上部構造を示す要部分解斜視図。
【図７】横架材、支柱及びパネルを一部後方から見た概略斜視図。
【図８】パネルの背面図。
【図９】横架材にパネルを支持させた状態を示す概略縦断面図。
【図１０】図１のＢ−Ｂ線に沿う矢視拡大断面図。
【図１１】図１のＣ−Ｃ線に沿う矢視拡大断面図。
【図１２】図１のＤ−Ｄ線に沿う矢視拡大断面図。
【図１３】デスクを後部対向配置した第２実施例を示す概略斜視図。
【図１４】図１３のトップカバー及びサイドカバーを外した状態を概略斜視図。
【図１５】カバーを外した状態を示す図１３の左側面図。
【図１６】図１３のＥ−Ｅ線に沿う矢視拡大断面図。
【図１７】図１３のＦ−Ｆ線に沿う矢視拡大断面図。
【図１８】図１３のＧ−Ｇ線に沿う矢視拡大断面図。
【図１９】トップカバーの変形例を示す図１６と同様の断面図。
【図２０】サイドカバーの変形例を示す図１８と同様の断面図。
【符号の説明】
１０  デスク
１１  支柱
１２  上部連結フレーム
３８  固定用治具
４０  片部材
８０  トップ面
８３  連結面（垂下面）
８５  水平面
９０  サイド面部
９１  内側面部
９２  溝を構成する起立壁
９２Ａ  ギザ歯
Ｃ１  トップカバー
Ｃ１ａ  カバー形成部材
Ｃ２  サイドカバー
Ｃ２ａ  カバー形成部材
Ｕ  家具ユニット
【図１】
2004261381.tif 000003
【図２】
2004261381.tif 000004
【図３】
2004261381.tif 000005
【図４】
2004261381.tif 000006
【図５】
2004261381.tif 000007
【図６】
2004261381.tif 000008
【図７】
2004261381.tif 000009
【図８】
2004261381.tif 000010
【図９】
2004261381.tif 000011
【図１０】
2004261381.tif 000012
【図１１】
2004261381.tif 000013
【図１２】
2004261381.tif 000014
【図１３】
2004261381.tif 000015
【図１４】
2004261381.tif 000016
【図１５】
2004261381.tif 000017
【図１６】
2004261381.tif 000018
【図１７】
2004261381.tif 000019
【図１８】
2004261381.tif 000020
【図１９】
2004261381.tif 000021
【図２０】
2004261381.tif 000022